(57)【特許請求の範囲】
【請求項１】
引掛け部が略コ字状をなし、引掛け部の一端から連続する主軸が前記引掛け部の略コ字状の縦軸と側面視３０〜９０°をなす角を形成するようになされた吊上げ治具の、引掛け部に屋根構造材を引掛けながら屋根構造材の締結位置に移動し、かつ屋根構造材を吊上げ治具に吊上げた状態のままで、もしくは屋根構造材を吊上げ治具から外して、建物の屋根部に締結することを特徴とする屋根の構築方法。
【請求項２】
引掛け部が略コ字状をなし、引掛け部の一端から連続する主軸が前記引掛け部の略コ字状の縦軸と側面視３０〜９０°をなす角を形成することを特徴とする吊上げ治具。
【請求項３】
引掛け部と吊上げ部を備え、引掛け部は、上方から屋根構造材に沿う上部引掛け部と下方から屋根構造材を支持する下部引掛け部とからなり、この上部引掛け部と吊上げ部の先端部同士が１８０°未満の角度で連結され、下部引掛け部は、その一端を上部引掛け部と吊上げ部との一方の連結部もしくはその近傍に回動可能に取り付け、他端を上部引掛け部と吊上げ部との他方の連結部もしくはその近傍に係止可能とするようになされた吊上げ治具の、上部引掛け部と吊上げ部とを屋根構造材の上方に沿わせたのち、屋根構造体の下方にて下部引掛け部を回動させてその他端部を上部引掛け部と吊上げ部との連結部もしくはその近傍に係止させ、引掛け部に屋根構造材を引掛けながら屋根構造材の締結位置に移動し、かつ屋根構造材を吊上げ治具に吊上げた状態のままで、もしくは屋根構造材を吊上げ治具から外して、建物の屋根部に締結することを特徴とする屋根の構築方法。
【請求項４】
引掛け部と吊上げ部を備え、引掛け部は、上方から屋根構造材に沿う上部引掛け部と下方から屋根構造材を支持する下部引掛け部とからなり、この上部引掛け部と吊上げ部の先端部同士を１８０°未満の角度で連結し、下部引掛け部は、その一端を上部引掛け部と吊上げ部との一方の連結部もしくはその近傍に回動可能に取り付け、他端を上部引掛け部と吊上げ部との他方の連結部もしくはその近傍に係止可能とすることを特徴とする吊上げ治具。
【発明の詳細な説明】
【０００１】
【発明の属する技術分野】
この発明は屋根の構築方法及び吊上げ治具に関する。
【０００２】
【従来の技術】
屋根トラス等の屋根構造材を建物の屋根部の所定締結位置に設置するに用いる吊上げ治具として、特開平４−１００１８５号公報、特開平８−２５９１７０号公報に記載のものを用いることが考えられる。
【０００３】
特開平４−１００１８５号公報に記載のものにおいては、一対のアームを開閉可能とするとともに、閉じ方向に付勢する手段を備え、両アームの先端突起部を屋根構造材の両側面に設けた係止孔に係入させた状態で、屋根構造材を吊上げ可能とする。
【０００４】
特開平８−２５９１７０号公報に記載のものにおいては、一対のアームを開閉可能とするとともに、閉じ方向に引き寄せる手段を備え、両アームの先端突起部を屋根構造材の両側面に当接させてくいつかせることにより、屋根構造材を吊上げ可能とする。
【０００５】
【発明が解決しようとする課題】
従来技術には以下の問題点がある。
（ａ）一対のアームを開閉可能にしたり、両アームを閉じ方向に付勢したり、引き寄せる手段を備えることを必要とし、複雑になる。また、屋根構造材にアームの先端突起部に合致する係止穴を設ける必要もある。
【０００６】
（ｂ）屋根構造材の両側面に係止穴を開けたり、両側面にくいつかせるものであり、屋根構造材を傷つける虞がある。また、吊上げ可能な屋根構造材の重量がかなり制限される。
【０００７】
この発明の課題は、簡素な構成の吊上げ治具により、屋根構造材を傷つけることなく、また、吊上げ治具をその都度クレーン等から外す面倒もなく作業ができ、屋根構造材を吊上げて所定の締結位置に設置することにある。
【０００８】
【課題を解決するための手段】
請求項１の発明は、引掛け部が略コ字状をなし、引掛け部の一端から連続する主軸が前記引掛け部の略コ字状の縦軸と側面視３０〜９０°をなす角を形成するようになされた吊上げ治具の、引掛け部に屋根構造材を引掛けながら屋根構造材の締結位置に移動し、かつ屋根構造材を吊上げ治具に吊上げた状態のままで、もしくは屋根構造材を吊上げ治具から外して、建物の屋根部に締結する屋根の構築方法である。
【０００９】
請求項２の発明は、引掛け部が略コ字状をなし、引掛け部の一端から連続する主軸が前記引掛け部の略コ字状の縦軸と側面視３０〜９０°をなす角を形成する吊上げ治具である。
【００１０】
請求項３の発明は、引掛け部と吊上げ部を備え、引掛け部は、上方から屋根構造材に沿う上部引掛け部と下方から屋根構造材を支持する下部引掛け部とからなり、この上部引掛け部と吊上げ部の先端部同士が１８０°未満の角度で連結され、下部引掛け部は、その一端を上部引掛け部と吊上げ部との連結部の一方もしくはその近傍に回動可能に取り付け、他端を上部引掛け部と吊上げ部との連結部の他方もしくはその近傍に係止可能とするようになされた吊上げ治具の、上部引掛け部と吊上げ部とを屋根構造材の上方に沿わせたのち、屋根構造体の下方にて下部引掛け部を回動させてその他端部を上部引掛け部と吊上げ部との連結部もしくはその近傍に係止させ、引掛け部に屋根構造材を引掛けながら屋根構造材の締結位置に移動し、かつ屋根構造材を吊上げ治具に吊上げた状態のままで、もしくは屋根構造材を吊上げ治具から外して、建物の屋根部に締結する屋根の構築方法である。
【００１１】
請求項４の発明は、引掛け部と吊上げ部を備え、引掛け部は、上方から屋根に沿う上部引掛け部と下方から屋根を支持する下部引掛け部とからなり、この上部引掛け部と吊上げ部の先端部同士を１８０°未満の角度で連結し、下部引掛け部は、その一端が上部引掛け部と吊上げ部との連結部の一方もしくはその近傍に回動可能に取り付け、他端が上部引掛け部と吊上げ部との連結部の他方もしくはその近傍に係止可能とする吊上げ治具である。
【００１２】
【作用】
請求項１、３の発明によれば下記（ａ）〜（ｄ）の作用がある。
（ａ）吊上げ治具は、屋根構造材に引掛ける略コ字状の引掛け部を有して構造されるものであり、機械的メカニズムを伴うことを必須としないから、構成簡素にでき、低コスト化できる。また、屋根構造材に吊上げ用の係止穴を設けて、屋根構造材を傷つける虞がないし、かなり大重量の屋根構造材も確実に吊上げできる。
【００１３】
（ｂ）吊上げ治具は、屋根構造材の被吊上げ部の下面を該屋根構造材の巾方向に横切る下側横軸の一端側で、主軸と上側横軸との間に、屋根構造材の被吊上げ部を該屋根構造材の巾方向に通過できる着脱用空間を備える。従って、吊上げ治具を、クレーン等の吊上げ装置のフックにつけたまま、引掛け部の略コ字の開口内に屋根構造材の被吊上げ部をワンタッチで出し入れでき、吊上げ治具の装着性が良い。
【００１４】
（ｃ）吊上げ治具は、引掛け部の一端から連続する主軸が引掛け部の略コ字状の縦軸と側面視３０〜９０°をなす角を形成するようにした。従って、屋根構造材を吊上げたとき、被吊上げ部の下面に衝合する下側横軸が構成する支点まわりで、主軸に加わる吊上げ力に基づく回転モーメントと、上側横軸に加わる屋根構造材の重量に基づく回転モーメントの釣合いにより、上側横軸が屋根構造材の被吊上げ部を必ず上から押さえ、唯１個の吊上げ治具により屋根構造材を安定的に吊上げできる。このとき、下側横軸と上側横軸は被吊上げ部の下面と上面に衝合して当接するだけであり、被吊上げ部を傷つけない。
【００１５】
（ｄ）吊上げ治具は、鋼製丸棒の曲げ加工等により簡易に構成できる。
【００１６】
請求項２、４の発明によれば下記（ａ）〜（ｄ）の作用がある。
（ａ）吊上げ治具は、屋根構造材に引掛ける上方から屋根構造材に沿う上部引掛け部と下方から屋根構造材を支持する下部引掛け部とからなるものであり、機械的メカニズムを伴うことを必須としないから、構成簡素にでき、低コスト化できる。また、屋根構造材に吊上げ用の係止穴を設けて、屋根構造材を傷つけるおそれがないし、かなり大重量の屋根構造材も確実に吊上げできる。
【００１７】
（ｂ）吊上げ治具の下部引掛け部は、その一端が上部引掛け部と吊上げ部との連結部もしくはその近傍に回動可能に取り付けられ、他端が上部引掛け部と吊上げ部との連結部もしくはその近傍に係止可能とされている。従って、吊上げ治具を、クレーン等の吊上げ装置のフックにつけたまま、引掛け部に屋根構造材１ａの被吊上げ部をワンタッチで出し入れでき、吊上げ治具の装着性が良い。
【００１８】
（ｃ）吊上げ治具は、略Ｖ字状の上部引掛け部の先端部と、略Ｖ字状の吊上げ部の先端部とを、１８０°未満の角度にした。従って、屋根構造材を吊上げたとき、被吊上げ部の下面に衝合する下部引掛け部に支持されて安定的に吊上げできる。このとき、上部引掛け部は被吊上げ部の上面に衝合して当接するだけであり、被吊上げ部を傷つけない。
【００１９】
（ｄ）吊上げ治具は、鋼製丸棒の曲げ加工等により簡易に構成できる。
【００２０】
【発明の実施の形態】
（実施例１）
図１〜図５は、請求項１に係る発明と請求項３に係る発明の実施の形態を示す実施例であって、図１は吊上げ治具の使用状態を示す正面図、図２は図１の側面図、図３は吊上げ治具を示す斜視図、図４は吊上げ治具を示し、（Ａ）は正面図、（Ｂ）は側面図、図５は屋根構造材を吊上げながら締結作業する状態を示す斜視図である。
【００２１】
吊上げ治具１０は、屋根トラス等の屋根構造材１の被吊上げ部２に引掛けられて屋根構造材１を吊上げ可能とし、吊上げた屋根構造材１を建物ユニット等の屋根の屋根部の所定締結位置に移動して締結可能とする。
【００２２】
吊上げ治具１０は、図１〜図４に示す如く、鋼製丸棒の曲げ加工品であり、吊上げ部１１が設けられる主軸１２と、主軸１２につながる略コ字状の引掛け部１３とからなる。引掛け部１３は、下側横軸１３Ａと縦軸１３Ｂと上側横軸１３Ｃが互いに略コ字状をなすように連結されたものであり、下側横軸１３Ａの一端部に主軸１２の下端部を連続している。そして、主軸１２が引掛け部１３の略コ字状の縦軸１３Ｂと側面視で３０〜９０°の角αをなす（図１、図４）。
【００２３】
吊上げ部１１は、屋根構造材１の被吊上げ部２の下面を該屋根構造材１の巾方向に横切る下側横軸１３Ａの一端側に主軸１２を介して連結されるリング状をなし、クレーン等の吊上げ装置２０のフック２１が接続される。
【００２４】
下側横軸１３Ａは、屋根構造材１の被吊上げ部２の下面に衝合して該下面を該屋根構造材１の巾方向に横切る。
【００２５】
上側横軸１３Ｃは、屋根構造材１の被吊上げ部２の下面を該屋根構造材１の巾方向に横切る下側横軸１３Ａの他端側に縦軸１３Ｂを介して連結され、該屋根構造材１の被吊上げ部２の上面に衝合する。
【００２６】
吊上げ治具１０は、主軸１２が上述の如く、引掛け部１３の縦軸１３Ｂと側面視３０〜９０°の角αをなすから、屋根構造材１の被吊上げ部２の下面を屋根構造材１の巾方向に横切る下側横軸１３Ａの一端側（縦軸１３Ｂの反対側）で、吊上げ部１１及び主軸１２と上側横軸１３Ｃの先端部との間に、屋根構造材１の被吊上げ部２を該屋根構造材１の巾方向に通過できる着脱用空間（例えば図１のＡ）を形成する。
【００２７】
吊上げ治具１０は、吊上げ装置２０により吊上げ部１１を吊上げたとき、下側横軸１３Ａの中心軸と吊上げ部１１を結ぶ直線に対し、下側横軸１３Ａの中心軸と上側横軸１３Ｃの中心軸を結ぶ直線が、屋根構造材１の長手方向にずれるように構成している（図１）。
【００２８】
また、吊上げ治具１０は、屋根構造材１の被吊上げ部２に衝合する下側横軸１３Ａと上側横軸１３Ｃにゴムを巻く等による滑り止め手段を設けることができる。
【００２９】
従って、吊上げ治具１０を用いた屋根の構築手順は以下の如くなされる。
（１）工場生産された多数の屋根トラス等の屋根構造材１を建築現場へ輸送した後、複数の屋根構造材１をまとめてクレーンで吊上げ、基礎３１の上に据付け済の建物ユニット３２の上に降ろす。
【００３０】
（２）屋根構造材１のそれぞれに対して吊上げ治具１０を用いる。このとき、吊上げ治具１０は、引掛け部１３の下側横軸１３Ａの一端側（縦軸１３Ｂの反対側）で、吊上げ部１１及び主軸１２と上側横軸１３Ｃの先端部との間に設けられている着脱用空間Ａを屋根構造材１の被吊上げ部２の側部に合致させた状態で、屋根構造材１の巾方向に横移動し、引掛け部１３の略コ字の開口内に屋根構造材１の被吊上げ部２を入れ、下側横軸１３Ａと上側横軸１３Ｃを屋根構造材１の被吊上げ部２の下面と上面に沿って差し入れる（図１の２点鎖線）。次に、吊上げ治具１０を屋根構造材１の長手方向の好適位置にセットし、屋根構造材１の被吊上げ部２の下面に下側横軸１３Ａを、上面に上側横軸１３Ｃを衝合し、吊上げ部１１につけてある吊上げ装置２０で各屋根構造材１を吊上げる。
【００３１】
（３）吊上げ治具１０の引掛け部１３に屋根構造材１を引掛けた吊上げ状態で、屋根構造材１を建物ユニット３２の上の所定の締結位置に移動する。図５に示す如く、屋根構造材１を吊上げ治具１０に吊上げた状態のままで、もしくは屋根構造材１を吊上げ治具１０から外して、屋根部に締結する。
【００３２】
本実施形態によれば以下の作用がある。
（ａ）吊上げ治具１０は、屋根構造材１に引掛ける略コ字状の引掛け部１３を有して構造されるものであり、機械的メカニズムを伴うことを必須としないから、構成簡素にでき、低コスト化できる。また、屋根構造材１に吊上げ用の係止穴を設けて、屋根構造材１を傷つけるおそれがないし、かなり大重量の屋根構造材１も確実に吊上げできる。
【００３３】
（ｂ）吊上げ治具１０は、屋根構造材１の被吊上げ部２の下面を該屋根構造材１の巾方向に横切る下側横軸１３Ａの一端側で、主軸１２と上側横軸１３Ｃとの間に、屋根構造材１の被吊上げ部２を該屋根構造材１の巾方向に通過できる着脱用空間Ａを備える。従って、吊上げ治具１０を、クレーン等の吊上げ装置２０のフック２１につけたまま、引掛け部１３の略コ字の開口内に屋根構造材１の被吊上げ部２をワンタッチで出し入れでき、吊上げ治具１０の装着性が良い。
【００３４】
（ｃ）吊上げ治具１０は、引掛け部１３の一端から連続する主軸１２が引掛け部１３の略コ字状の縦軸１３Ｂと側面視３０〜９０°をなす角を形成するようにした。従って、屋根構造材１を吊上げたとき、被吊上げ部２の下面に衝合する下側横軸１３Ａが構成する支点まわりで、主軸１２に加わる吊上げ力に基づく回転モーメントと、上側横軸１３Ｃに加わる屋根構造材１の重量に基づく回転モーメントの釣合いにより、上側横軸１３Ｃが屋根構造材１の被吊上げ部２を必ず上から押さえ、唯１個の吊上げ治具１０により屋根構造材１を安定的に吊上げできる。このとき、下側横軸１３Ａと上側横軸１３Ｃは被吊上げ部２の下面と上面に衝合して当接するだけであり、被吊上げ部２を傷つけない。
【００３５】
（ｄ）吊上げ治具１０は、鋼製丸棒の曲げ加工等により簡易に構成できる。
（ｅ）吊上げ治具１０の下側横軸１３Ａと上側横軸１３Ｃに滑り止め手段を設けることにより、屋根構造材１のズリ落ちを確実に防止できる。
【００３６】
（実施例２）
図６〜図１０は、請求項２に係る発明と請求項４に係る発明の実施の形態を示す実施例であって、図６は吊上げ治具を屋根構造体にセットした状態を示す斜視図、図７は吊上げ治具を屋根構造体にセットする手順を示す説明図であって、（Ａ）は第１段階を示す斜視図、（Ｂ）は第２段階を示す斜視図、（Ｃ）は図７（Ｂ）のイ−イ線断面図、（Ｄ）は第３段階を示す断面図、図８は吊上げ治具の屋根構造体にセットする状態を示す斜視図であって、（Ａ）はセット前を示す斜視図であり、（Ａ）はセット後を示す斜視図である。
【００３７】
吊上げ治具１００は、屋根トラス等の屋根構造材１ａの被吊上げ部２ａに引掛けられて屋根構造材１ａを吊上げ可能とし、吊上げた屋根構造材１ａを建物ユニット等の屋根の屋根部の所定締結位置に移動して締結可能とする。
吊上げ治具１００は、図６〜図９に示す如く、鋼製丸棒の曲げ加工品であり、吊上げ部１１０と、引掛け部１３０とを備えている。
【００３８】
吊上げ部１１０は、略Ｖ字状をなしており、その基部１１１はクレーン等の吊上げ装置２０のフック２１を係止するための係止部とされている。
引掛け部１３０は、上部引掛け部１４０と下部引掛け部１５０からなっている。
【００３９】
上部引掛け部１４０は、上記吊上げ部１１０と同様に略Ｖ字状をなしており、屋根構造材１ａの被吊上げ部２ａを跨ぎ、その基部１４１が屋根構造材１ａの被吊上げ部２ａの上面に衝合するようにされ、先端部１４２、１４２は、上記吊上げ部１１０の先端部１１２、１１２と連結されている。
この連結部１６０Ａ、１６０Ｂの角度βは、１８０°未満の角度とされ、好ましくは９０°以内、より好ましくは略６０°である。
【００４０】
下部引掛け部１５０は、上部引掛け部１４０と吊上げ部１１０との一方の連結部１６０Ａもしくはその近傍に回動可能に取り付けるための取付け部１５１と、上部引掛け部１４０と吊上げ部１１０との他方の連結部１６０Ｂもしくはその近傍に係止するための係止部１５２とを備えている。
【００４１】
取付け部１５１は、鋼製丸棒の一端をＵ字状に折り曲げて形成されており、このＵ字状部を、一方の連結部１６０Ａもしくはその近傍に取り付け、その先端部にねじ状体１５３を螺合することにより離脱しないようにされ、一方の連結部１６０Ａもしくはその近傍に回動可能に取り付けられている。
【００４２】
係止部１５２は、鋼製丸棒の他端をＬ字状に折り曲げて形成されており、下部引掛け部１５０を、一方の連結部１６０Ａもしくはその近傍を回動軸として回動させることにより、他方の連結部１６０Ｂもしくはその近傍に係止するようになされている。
なお、吊上げ治具１００の下部引掛け部１５０に滑り止め手段を設けることができる。このことによって屋根構造材１ａのズリ落ちを確実に防止できる。
【００４３】
この吊上げ治具１００を用いた屋根の構築手順は以下の如くなされる。
（１）工場生産された多数の屋根トラス等の屋根構造材１ａを建築現場へ輸送した後、複数の屋根構造材１ａをまとめてクレーンで吊上げ、基礎の上に据付け済の建物ユニットの上に降ろす（図５参照）。
【００４４】
（２）屋根構造材１ａのそれぞれに対して吊上げ治具１００を用いる。このとき、吊上げ治具１００は、下部引掛け部１５０の係止部１５２の係止を解除した状態にしておき、その吊上げ部１１０にクレーン等の吊上げ装置のチェーン２０ａのフック２１ａに接続されており、屋根構造材１ａの被吊上げ部２ａの長手方向の好適個所に位置させる。
【００４５】
（３）図７（Ａ）に示すように、吊上げ治具１００のＶ字状の上部引掛け部１４０と吊上げ部１１０を、屋根構造材１ａの被吊上げ部２ａの上面に沿わせて跨がらせた後、図７（Ｂ）、（Ｃ）に示すように、フック２１ａを少し下げ、吊上げ部１１０を傾斜させることにより、上部引掛け部１４０と吊上げ部１１０の連結部１６０Ａ、１６０Ｂと被吊上げ部２ａの下面との間隔をあける。
その後、図７（Ｄ）に示すように、下部引掛け部１５０を回動させ、その係止部１５２を上方に上げ、上部引掛け部１４０と吊上げ部１１０の連結部１６０Ｂに係止させる。
【００４６】
（４）クレーン等の吊上げ装置のチェーン２０ａのフック２１ａを引き上げる。このとき、図８に示すように、吊上げ部１１０は略垂直状態になり、上部引掛け部１４０の基部１４１が被吊上げ部２ａの上面に衝合し、下部引掛け部１５０が屋根構造材１ａの被吊上げ部２ａの下面を係止して、屋根構造材１ａを吊上げる。
【００４７】
（５）吊上げ治具１００にて屋根構造材１ａを吊上げ状態で、屋根構造材１ａを建物ユニットの上の所定の締結位置に移動する。屋根構造材１を吊上げ治具１０に吊上げた状態のままで、もしくは屋根構造材１を吊上げ治具１０から外して、屋根部に締結する（図５参照）。
【００４８】
この実施例２によれば以下の作用がある。
（ａ）吊上げ治具１００は、屋根構造材１ａの被吊上げ部２ａに引掛ける上方から屋根構造材に沿う上部引掛け部と下方から屋根構造材を支持する下部引掛け部とからなるものであり、機械的メカニズムを伴うことを必須としないから、構成簡素にでき、低コスト化できる。また、屋根構造材１ａに吊上げ用の係止穴を設けて、屋根構造材１ａを傷つけるおそれがないし、かなり大重量の屋根構造材１ａも確実に吊上げできる。
【００４９】
（ｂ）吊上げ治具１００の下部引掛け部１５０は、その一端が上部引掛け部１４０と吊上げ部１１０との連結部１６０Ａもしくはその近傍に回動可能に取り付けられ、他端が上部引掛け部１４０と吊上げ部１１０との連結部１６０Ｂもしくはその近傍に係止可能とされている。従って、吊上げ治具１００を、クレーン等の吊上げ装置の引き上げチェーンもしくはロープ２０ａのフック２１ａにつけたまま、引掛け部１３０に屋根構造材１ａの被吊上げ部２ａをワンタッチで出し入れでき、吊上げ治具１００の装着性が良い。
【００５０】
（ｃ）吊上げ治具１００は、略Ｖ字状の上部引掛け部１４０の先端部１４２、１４２と、略Ｖ字状の吊上げ部１１０の先端部１１２、１１２とを、１８０°未満の角度とされ、好ましくは９０°以内、より好ましくは略６０°角度にした。従って、屋根構造材１ａを吊上げたとき、被吊上げ部２ａの下面に衝合する下部引掛け部１５０に支持されて安定的に吊上げできる。このとき、上部引掛け部１４０の基部１４１は被吊上げ部２ａの上面に衝合して当接するだけであり、被吊上げ部２ａを傷つけない。
【００５１】
（ｄ）吊上げ治具１００は、鋼製丸棒の曲げ加工等により簡易に構成できる。
（ｅ）吊上げ治具１００の下部引掛け部１５０に滑り止め手段を設けることにより、屋根構造材１ａのズリ落ちを確実に防止できる。
【００５２】
以上、この発明の実施の形態を図面により詳述したが、この発明の具体的な構成はこの実施の形態に限られるものではなく、この発明の要旨を逸脱しない範囲の設計の変更等があってもこの発明に含まれる。
【００５３】
【発明の効果】
以上のように、この発明によれば、簡素な構成の吊上げ治具により、屋根構造材を傷つけることなく、また、吊上げ治具をその都度クレーン等から外す面倒もなく作業ができ、屋根構造材を吊上げて所定の締結位置に設置することができる。
【図面の簡単な説明】
【図１】この発明の実施例１の吊上げ治具の使用状態を示す正面図である。
【図２】図１の側面図である。
【図３】この発明の実施例１の吊上げ治具を示す斜視図である。
【図４】この発明の実施例１の吊上げ治具を示し、（Ａ）は正面図、（Ｂ）は側面図である。
【図５】この発明の実施例１の吊上げ治具により屋根構造材を吊上げながら締結作業する状態を示す斜視図である。
【図６】この発明の実施例２の吊上げ治具の使用状態を示す正面図である。
【図７】この発明の実施例２の吊上げ治具を屋根構造体にセットする手順を示す説明図である。
【図８】この発明の実施例２の吊上げ治具の屋根構造体にセットする状態を示す斜視図である。
【符号の説明】
１、１ａ    屋根構造材
２、２ａ    屋根構造材の被吊上げ部
１０      吊上げ治具
１２      主軸
１３      引掛け部
１３Ｂ    縦軸
１００    吊上げ治具
１１０    吊上げ部
１３０    引掛け部
１４０    上部引掛け部
１５０    下部引掛け部
１５１    取付け部
１５２    係止部
１６０Ａ、１６０Ｂ    連結部
【図１】
0003834247.tif 000002
【図２】
0003834247.tif 000003
【図３】
0003834247.tif 000004
【図４】
0003834247.tif 000005
【図５】
0003834247.tif 000006
【図６】
0003834247.tif 000007
【図７】
0003834247.tif 000008
【図８】
0003834247.tif 000009